【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
データを送信する送信手段と、
前記送信手段によるデータの送信に際し、データと共に送信される送信元アドレスを、送信モードに応じて設定するとともに、前記設定された送信元アドレスの変更を、送信モードに応じて許可し又は禁止するアドレス設定手段と、
を備えたことを特徴とするデータ送信装置。
【請求項２】
前記アドレス設定手段は、前記送信モードがメール送信モードの場合には、送信元アドレスとして操作者のアドレスを設定し、ファクシミリ送信モードの場合にはデータ送信装置本体の固有のアドレスを設定する請求項１に記載のデータ送信装置。
【請求項３】
前記アドレス設定手段は、前記送信モードがメール送信モードの場合には、送信元アドレスの変更を許可し、ファクシミリ送信モードの場合には送信元アドレスの変更を禁止する請求項１または２に記載のデータ送信装置。
【請求項４】
前記ファクシミリ送信モードはインターネットファクシミリ送信モードを含む請求項２または３に記載のデータ送信装置。
【請求項５】
前記操作者は認証された操作者である請求項２に記載のデータ送信装置。
【請求項６】
前記送信手段によるデータの送信に際し、前記アドレス設定手段により送信モードに応じて設定された前記送信元アドレスを表示する表示手段をさらに備えている請求項１ないし５のいずれかに記載のデータ送信装置。
【請求項７】
原稿の画像を読み取る原稿読取手段をさらに備え、
前記データは、前記原稿読取手段により読み取られた原稿の画像データである請求項１ないし６のいずれかに記載のデータ送信装置。
【請求項８】
前記データ送信装置は、複数の機能を有する多機能画像形成装置である請求項１ないし７のいずれかに記載のデータ送信装置。
【請求項９】
第１のモード及び第１のモードとは異なる第２のモードでデータを送信する送信手段と、
前記送信手段によるデータの送信に際し、データと共に送信される送信元アドレスを、送信モードに応じて設定するとともに、前記第１の送信モードにおいては、前記設定された送信元アドレスの変更を許可し又は禁止する設定を可能とするアドレス設定手段と、
を備えたことを特徴とするデータ送信装置。
【請求項１０】
前記アドレス設定手段は、前記第２の送信モードにおいては、前記設定された送信元アドレスの変更を禁止する請求項９に記載のデータ送信装置。
【請求項１１】
電子メール送信手段、ファクシミリ送信手段、インターネットファクシミリ送信手段を含む、データを送信する送信手段と、
前記送信手段によるデータの送信に際し、データと共に送信される送信元アドレスを設定するとともに、前記電子メール送信手段によるデータ送信においては、前記設定された送信元アドレスの変更を許可し又は禁止する設定を可能とし、前記ファクシミリ送信手段及びインターネットファクシミリ送信手段によるデータ送信においては、前記設定された送信元アドレスの変更を禁止するアドレス設定手段と、
を備えたことを特徴とするデータ送信装置。
【請求項１２】
データを送信する送信ステップと、
前記送信ステップにおけるデータの送信に際し、データと共に送信される送信元アドレスを、送信モードに応じて設定するとともに、前記設定された送信元アドレスの変更を、送信モードに応じて許可し又は禁止するアドレス設定ステップと、
を備えたことを特徴とするデータ送信装置における送信元アドレスの設定方法。
【請求項１３】
前記アドレス設定ステップにおいて、前記送信モードがメール送信モードの場合には、送信元アドレスとして操作者のアドレスを設定し、ファクシミリ送信モードの場合にはデータ送信装置本体の固有のアドレスを設定する請求項１２に記載のデータ送信装置における送信元アドレスの設定方法。
【請求項１４】
前記アドレス設定ステップにおいて、前記送信モードがメール送信モードの場合には、送信元アドレスの変更を許可し、ファクシミリ送信モードの場合には送信元アドレスの変更を禁止する請求項１２または１３に記載のデータ送信装置における送信元アドレスの設定方法。
【請求項１５】
前記ファクシミリ送信モードはインターネットファクシミリ送信モードを含む請求項１３または１４に記載のデータ送信装置における送信元アドレスの設定方法。
【請求項１６】
前記操作者は認証された操作者である請求項１３に記載のデータ送信装置における送信元アドレスの設定方法。
【請求項１７】
前記データの送信に際し、前記送信モードに応じて設定された前記送信元アドレスを表示手段に表示するステップをさらに備えている請求項１２ないし１６のいずれかに記載のデータ送信装置における送信元アドレスの設定方法。
【請求項１８】
原稿の画像を読み取る読取ステップをさらに備え、
前記データは、前記読取ステップにおいて読み取られた原稿の画像データである請求項１２ないし１７のいずれかに記載のデータ送信装置における送信元アドレスの設定方法。
【請求項１９】
前記データ送信装置は、複数の機能を有する多機能画像形成装置である請求項１２ないし１８のいずれかに記載のデータ送信装置における送信元アドレスの設定方法。
【請求項２０】
第１のモード及び第１のモードとは異なる第２のモードでデータを送信する送信ステップと、
前記送信ステップにおけるデータの送信に際し、データと共に送信される送信元アドレスを、送信モードに応じて設定するとともに、前記第１の送信モードにおいては、前記設定された送信元アドレスの変更を許可し又は禁止する設定を可能とするアドレス設定ステップと、
を備えたことを特徴とするデータ送信装置における送信元アドレスの設定方法。
【請求項２１】
前記アドレス設定ステップでは、前記第２の送信モードにおいては、前記設定された送信元アドレスの変更を禁止する請求項２０に記載のデータ送信装置における送信元アドレスの設定方法。
【請求項２２】
電子メール送信ステップ、ファクシミリ送信ステップ、インターネットファクシミリ送信ステップを含む、データを送信する送信ステップと、
前記送信ステップにおけるデータの送信に際し、データと共に送信される送信元アドレスを設定するとともに、前記電子メール送信ステップにおけるデータ送信においては、前記設定された送信元アドレスの変更を許可し又は禁止する設定を可能とし、前記ファクシミリ送信ステップ及びインターネットファクシミリ送信ステップにおけるデータ送信においては、前記設定された送信元アドレスの変更を禁止するアドレス設定ステップと、
を備えたことを特徴とするデータ送信装置における送信元アドレスの設定方法。
【請求項２３】
データを送信する送信ステップと、
前記送信ステップにおけるデータの送信に際し、データと共に送信される送信元アドレスを、送信モードに応じて設定するとともに、前記設定された送信元アドレスの変更を、送信モードに応じて許可し又は禁止するアドレス設定ステップと、
をデータ送信装置のコンピュータに実行させるための送信元アドレスの設定プログラム。
【請求項２４】
前記アドレス設定ステップでは、前記送信モードがメール送信モードの場合には、送信元アドレスとして操作者のアドレスを設定し、ファクシミリ送信モードの場合にはデータ送信装置本体の固有のアドレスを設定する処理をコンピュータに実行させる請求項２３に記載の送信元アドレスの設定プログラム。
【請求項２５】
前記アドレス設定ステップでは、前記送信モードがメール送信モードの場合には、送信元アドレスの変更を許可し、ファクシミリ送信モードの場合には送信元アドレスの変更を禁止する処理をコンピュータに実行させる請求項２３または２４に記載の送信元アドレスの設定プログラム。
【請求項２６】
前記ファクシミリ送信モードはインターネットファクシミリ送信モードを含む請求項２４または２５に記載の送信元アドレスの設定プログラム。
【請求項２７】
前記操作者は認証された操作者である請求項２４に記載の送信元アドレスの設定プログラム。
【請求項２８】
前記データの送信に際し、前記送信モードに応じて設定された前記送信元アドレスを表示手段に表示するステップをさらに前記コンピュータに実行させる請求項２３ないし２７のいずれかに記載の送信元アドレスの設定プログラム。
【請求項２９】
原稿の画像を読み取る読取ステップをさらに前記コンピュータに実行させ、
前記データは、前記読取ステップにおいて読み取られた原稿の画像データである請求項２３ないし２８のいずれかに記載の送信元アドレスの設定プログラム。
【請求項３０】
前記データ送信装置は、複数の機能を有する多機能画像形成装置である請求項２３ないし２９のいずれかに記載の送信元アドレスの設定プログラム。
【請求項３１】
第１のモード及び第１のモードとは異なる第２のモードでデータを送信する送信ステップと、
前記送信ステップにおけるデータの送信に際し、データと共に送信される送信元アドレスを、送信モードに応じて設定するとともに、前記第１の送信モードにおいては、前記設定された送信元アドレスの変更を許可し又は禁止する設定を可能とするアドレス設定ステップと、
をデータ送信装置のコンピュータに実行させるための送信元アドレスの設定プログラム。
【請求項３２】
前記アドレス設定ステップでは、前記第２の送信モードにおいては、前記設定された送信元アドレスの変更を禁止する処理をコンピュータに実行させる請求項３１に記載の送信元アドレスの設定プログラム。
【請求項３３】
電子メール送信ステップ、ファクシミリ送信ステップ、インターネットファクシミリ送信ステップを含む、データを送信する送信ステップと、
前記送信ステップにおけるデータの送信に際し、データと共に送信される送信元アドレスを設定するとともに、前記電子メール送信ステップにおけるデータ送信においては、前記設定された送信元アドレスの変更を許可し又は禁止する設定を可能とし、前記ファクシミリ送信ステップ及びインターネットファクシミリ送信ステップにおけるデータ送信においては、前記設定された送信元アドレスの変更を禁止するアドレス設定ステップと、
をデータ送信装置のコンピュータに実行させるための送信元アドレスの設定プログラム。
【手続補正２】
【補正対象書類名】明細書
【補正対象項目名】発明の名称
【補正方法】変更
【補正の内容】
【発明の名称】データ送信装置、同装置における送信元アドレスの設定方法及び送信元アドレスの設定プログラム
【手続補正３】
【補正対象書類名】明細書
【補正対象項目名】０００１
【補正方法】変更
【補正の内容】
【０００１】
この発明は、画像や文書等のデータを電子メール、ファクシミリ、インターネットファクシミリ等の送信手段により送信するとともに、送信に際して送信元アドレスを自動的に設定するデータ送信装置、同装置における送信元アドレスの設定方法及び送信元アドレスの設定プログラムに関する。
【手続補正４】
【補正対象書類名】明細書
【補正対象項目名】０００８
【補正方法】変更
【補正の内容】
【０００８】
この発明は、このような技術的背景に鑑みてなされたものであって、送信モードに応じた送信元アドレスの設定を可能としたデータ送信装置、同装置における送信元アドレスの設定方法及び送信元アドレスの設定プログラムの提供を課題とする。
【手続補正５】
【補正対象書類名】明細書
【補正対象項目名】０００９
【補正方法】変更
【補正の内容】
【０００９】
上記課題は、以下の手段によって解決される。
（１）データを送信する送信手段と、前記送信手段によるデータの送信に際し、データと共に送信される送信元アドレスを、送信モードに応じて設定するとともに、前記設定された送信元アドレスの変更を、送信モードに応じて許可し又は禁止するアドレス設定手段と、を備えたことを特徴とするデータ送信装置。
（２）前記アドレス設定手段は、前記送信モードがメール送信モードの場合には、送信元アドレスとして操作者のアドレスを設定し、ファクシミリ送信モードの場合にはデータ送信装置本体の固有のアドレスを設定する前項１に記載のデータ送信装置。
（３）前記アドレス設定手段は、前記送信モードがメール送信モードの場合には、送信元アドレスの変更を許可し、ファクシミリ送信モードの場合には送信元アドレスの変更を禁止する前項１または２に記載のデータ送信装置。
（４）前記ファクシミリ送信モードはインターネットファクシミリ送信モードを含む前項２または３に記載のデータ送信装置。
（５）前記操作者は認証された操作者である前項２に記載のデータ送信装置。
（６）前記送信手段によるデータの送信に際し、前記アドレス設定手段により送信モードに応じて設定された前記送信元アドレスを表示する表示手段をさらに備えている前項１ないし５のいずれかに記載のデータ送信装置。
（７）原稿の画像を読み取る原稿読取手段をさらに備え、前記データは、前記原稿読取手段により読み取られた原稿の画像データである前項１ないし６のいずれかに記載のデータ送信装置。
（８）前記データ送信装置は、複数の機能を有する多機能画像形成装置である前項１ないし７のいずれかに記載のデータ送信装置。
（９）第１のモード及び第１のモードとは異なる第２のモードでデータを送信する送信手段と、前記送信手段によるデータの送信に際し、データと共に送信される送信元アドレスを、送信モードに応じて設定するとともに、前記第１の送信モードにおいては、前記設定された送信元アドレスの変更を許可し又は禁止する設定を可能とするアドレス設定手段と、を備えたことを特徴とするデータ送信装置。
（１０）前記アドレス設定手段は、前記第２の送信モードにおいては、前記設定された送信元アドレスの変更を禁止する前項９に記載のデータ送信装置。
（１１）電子メール送信手段、ファクシミリ送信手段、インターネットファクシミリ送信手段を含む、データを送信する送信手段と、前記送信手段によるデータの送信に際し、データと共に送信される送信元アドレスを設定するとともに、前記電子メール送信手段によるデータ送信においては、前記設定された送信元アドレスの変更を許可し又は禁止する設定を可能とし、前記ファクシミリ送信手段及びインターネットファクシミリ送信手段によるデータ送信においては、前記設定された送信元アドレスの変更を禁止するアドレス設定手段と、を備えたことを特徴とするデータ送信装置。
（１２）データを送信する送信ステップと、前記送信ステップにおけるデータの送信に際し、データと共に送信される送信元アドレスを、送信モードに応じて設定するとともに、前記設定された送信元アドレスの変更を、送信モードに応じて許可し又は禁止するアドレス設定ステップと、を備えたことを特徴とするデータ送信装置における送信元アドレスの設定方法。
（１３）前記アドレス設定ステップにおいて、前記送信モードがメール送信モードの場合には、送信元アドレスとして操作者のアドレスを設定し、ファクシミリ送信モードの場合にはデータ送信装置本体の固有のアドレスを設定する前項１２に記載のデータ送信装置における送信元アドレスの設定方法。
（１４）前記アドレス設定ステップにおいて、前記送信モードがメール送信モードの場合には、送信元アドレスの変更を許可し、ファクシミリ送信モードの場合には送信元アドレスの変更を禁止する前項１２または１３に記載のデータ送信装置における送信元アドレスの設定方法。
（１５）前記ファクシミリ送信モードはインターネットファクシミリ送信モードを含む前項１３または１４に記載のデータ送信装置における送信元アドレスの設定方法。
（１６）前記操作者は認証された操作者である前項１３に記載のデータ送信装置における送信元アドレスの設定方法。
（１７）前記データの送信に際し、前記送信モードに応じて設定された前記送信元アドレスを表示手段に表示するステップをさらに備えている前項１２ないし１６のいずれかに記載のデータ送信装置における送信元アドレスの設定方法。
（１８）原稿の画像を読み取る読取ステップをさらに備え、前記データは、前記読取ステップにおいて読み取られた原稿の画像データである前項１２ないし１７のいずれかに記載のデータ送信装置における送信元アドレスの設定方法。
（１９）前記データ送信装置は、複数の機能を有する多機能画像形成装置である前項１２ないし１８のいずれかに記載のデータ送信装置における送信元アドレスの設定方法。
（２０）第１のモード及び第１のモードとは異なる第２のモードでデータを送信する送信ステップと、前記送信ステップにおけるデータの送信に際し、データと共に送信される送信元アドレスを、送信モードに応じて設定するとともに、前記第１の送信モードにおいては、前記設定された送信元アドレスの変更を許可し又は禁止する設定を可能とするアドレス設定ステップと、を備えたことを特徴とするデータ送信装置における送信元アドレスの設定方法。
（２１）前記アドレス設定ステップでは、前記第２の送信モードにおいては、前記設定された送信元アドレスの変更を禁止する前項２０に記載のデータ送信装置における送信元アドレスの設定方法。
（２２）電子メール送信ステップ、ファクシミリ送信ステップ、インターネットファクシミリ送信ステップを含む、データを送信する送信ステップと、前記送信ステップにおけるデータの送信に際し、データと共に送信される送信元アドレスを設定するとともに、前記電子メール送信ステップにおけるデータ送信においては、前記設定された送信元アドレスの変更を許可し又は禁止する設定を可能とし、前記ファクシミリ送信ステップ及びインターネットファクシミリ送信ステップにおけるデータ送信においては、前記設定された送信元アドレスの変更を禁止するアドレス設定ステップと、を備えたことを特徴とするデータ送信装置における送信元アドレスの設定方法。
（２３）データを送信する送信ステップと、前記送信ステップにおけるデータの送信に際し、データと共に送信される送信元アドレスを、送信モードに応じて設定するとともに、前記設定された送信元アドレスの変更を、送信モードに応じて許可し又は禁止するアドレス設定ステップと、をデータ送信装置のコンピュータに実行させるための送信元アドレスの設定プログラム。
（２４）前記アドレス設定ステップでは、前記送信モードがメール送信モードの場合には、送信元アドレスとして操作者のアドレスを設定し、ファクシミリ送信モードの場合にはデータ送信装置本体の固有のアドレスを設定する処理をコンピュータに実行させる前項２３に記載の送信元アドレスの設定プログラム。
（２５）前記アドレス設定ステップでは、前記送信モードがメール送信モードの場合には、送信元アドレスの変更を許可し、ファクシミリ送信モードの場合には送信元アドレスの変更を禁止する処理をコンピュータに実行させる前項２３または２４に記載の送信元アドレスの設定プログラム。
（２６）前記ファクシミリ送信モードはインターネットファクシミリ送信モードを含む前項２４または２５に記載の送信元アドレスの設定プログラム。
（２７）前記操作者は認証された操作者である前項２４に記載の送信元アドレスの設定プログラム。
（２８）前記データの送信に際し、前記送信モードに応じて設定された前記送信元アドレスを表示手段に表示するステップをさらに前記コンピュータに実行させる前項２３ないし２７のいずれかに記載の送信元アドレスの設定プログラム。
（２９）原稿の画像を読み取る読取ステップをさらに前記コンピュータに実行させ、前記データは、前記読取ステップにおいて読み取られた原稿の画像データである前項２３ないし２８のいずれかに記載の送信元アドレスの設定プログラム。
（３０）前記データ送信装置は、複数の機能を有する多機能画像形成装置である前項２３ないし２９のいずれかに記載の送信元アドレスの設定プログラム。
（３１）第１のモード及び第１のモードとは異なる第２のモードでデータを送信する送信ステップと、前記送信ステップにおけるデータの送信に際し、データと共に送信される送信元アドレスを、送信モードに応じて設定するとともに、前記第１の送信モードにおいては、前記設定された送信元アドレスの変更を許可し又は禁止する設定を可能とするアドレス設定ステップと、をデータ送信装置のコンピュータに実行させるための送信元アドレスの設定プログラム。
（３２）前記アドレス設定ステップでは、前記第２の送信モードにおいては、前記設定された送信元アドレスの変更を禁止する処理をコンピュータに実行させる前項３１に記載の送信元アドレスの設定プログラム。
（３３）電子メール送信ステップ、ファクシミリ送信ステップ、インターネットファクシミリ送信ステップを含む、データを送信する送信ステップと、前記送信ステップにおけるデータの送信に際し、データと共に送信される送信元アドレスを設定するとともに、前記電子メール送信ステップにおけるデータ送信においては、前記設定された送信元アドレスの変更を許可し又は禁止する設定を可能とし、前記ファクシミリ送信ステップ及びインターネットファクシミリ送信ステップにおけるデータ送信においては、前記設定された送信元アドレスの変更を禁止するアドレス設定ステップと、をデータ送信装置のコンピュータに実行させるための送信元アドレスの設定プログラム。
【手続補正６】
【補正対象書類名】明細書
【補正対象項目名】００１１
【補正方法】変更
【補正の内容】
【００１１】
しかも、送信モードに応じて、設定された送信元アドレスの変更が許可され又は禁止されるから、例えばメール送信の場合には送信元アドレスの変更を許可することにより、送信に対するリターンを任意の宛先で受けることができる。また、インターネットファクシミリ等の場合には、送信元アドレスの変更を禁止することにより、確実に本体で送達確認ができる。